【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
コンピュータ（１１０ａ）によって実施され、モビリティサービスに用いられるサービス車両（ＳＶ）のユーザ（Ｕ）への配車を管理する配車管理方法であって、
少なくとも一つのプロセッサ（１１１）にて実行される処理に、
前記ユーザへのサービス提供に応じて生じるエネルギ消費を推定し（Ｓ１２）、
前記ユーザへのサービス提供に伴う前記サービス車両の性能劣化を推定し（Ｓ１３）、
前記エネルギ消費及び前記性能劣化を考慮し、前記サービス車両に提供される運行計画を生成し（Ｓ１４，Ｓ１５）、
前記運行計画としての基準運行計画よりも前記エネルギ消費及び前記性能劣化の少なくとも一方を抑制できると推定される修正運行計画を、前記サービス車両から取得し、
前記修正運行計画に基づく前記サービス車両の運行を承認するか否か判定する、
というステップを含む配車管理方法。
【請求項２】
前記運行計画を生成するステップでは、複数の前記サービス車両についての前記エネルギ消費及び前記性能劣化をそれぞれ考慮し、各前記サービス車両にそれぞれ提供される複数の前記運行計画を生成する請求項１に記載の配車管理方法。
【請求項３】
前記運行計画を生成するステップでは、前記サービス車両の需要予測をさらに考慮して前記運行計画を生成する請求項１又は２に記載の配車管理方法。
【請求項４】
前記運行計画を生成するステップでは、前記サービス車両に搭載された走行用のバッテリ（２２）を充電する充電ステーションに関連するステーション情報をさらに考慮して前記運行計画を生成する請求項１〜３のいずれか一項に記載の配車管理方法。
【請求項５】
前記運行計画を生成するステップでは、前記充電ステーションへの供給電力に関連する電力情報をさらに考慮して前記運行計画を生成する請求項４に記載の配車管理方法。
【請求項６】
前記充電ステーションの設置数、設置場所、及び充電機能の仕様の少なくとも一つについて、前記エネルギ消費及び前記性能劣化を最適化する最適解を算出する（Ｓ３４）、というステップをさらに含む請求項４又は５に記載の配車管理方法。
【請求項７】
前記サービス車両の運用台数及び性能仕様の少なくとも一つについて、前記エネルギ消費及び前記性能劣化を最適化する最適解を算出する（Ｓ３３）、というステップをさらに含む請求項１〜６のいずれか一項に記載の配車管理方法。
【請求項８】
コンピュータ（１１０ａ）によって実施され、モビリティサービスに用いられるサービス車両（ＳＶ）のユーザ（Ｕ）への配車を管理する配車管理プログラムであって、
少なくとも一つのプロセッサ（１１１）に、
前記ユーザへのサービス提供に応じて生じるエネルギ消費を推定し（Ｓ１２）、
前記ユーザへのサービス提供に伴う前記サービス車両の性能劣化を推定し（Ｓ１３）、
前記エネルギ消費及び前記性能劣化を考慮し、前記サービス車両に提供される運行計画を生成し（Ｓ１４，Ｓ１５）、
前記運行計画としての基準運行計画よりも前記エネルギ消費及び前記性能劣化の少なくとも一方を抑制できると推定される修正運行計画を、前記サービス車両から取得し、
前記修正運行計画に基づく前記サービス車両の運行を承認するか否か判定する、
というステップを含む処理を実行させる配車管理プログラム。
【請求項９】
モビリティサービスに用いられるサービス車両（ＳＶ）のユーザ（Ｕ）への配車を管理する配車管理装置であって、
前記ユーザへのサービス提供に応じて生じるエネルギ消費を推定する消費推定部（１４１）と、
前記ユーザへのサービス提供に伴う前記サービス車両の性能劣化を推定する劣化推定部（１４２）と、
前記エネルギ消費及び前記性能劣化を考慮し、前記サービス車両に提供される運行計画を生成する計画生成部（１４３）と、
前記運行計画としての基準運行計画よりも前記エネルギ消費及び前記性能劣化の少なくとも一方を抑制できると推定される修正運行計画を、前記サービス車両から取得する計画提供承認部（１２４）と、を備え、
前記計画生成部は、前記修正運行計画に基づく前記サービス車両の運行を承認するか否か判定する配車管理装置。
【手続補正２】
【補正対象書類名】明細書
【補正対象項目名】発明の名称
【補正方法】変更
【補正の内容】
【発明の名称】配車管理方法、配車管理プログラム及び配車管理装置
【手続補正３】
【補正対象書類名】明細書
【補正対象項目名】０００５
【補正方法】変更
【補正の内容】
【０００５】
本開示は、モビリティサービスの提供者にとって利便性の高い配車管理方法、配車管理プログラム及び配車管理装置の提供を目的とする。
【手続補正４】
【補正対象書類名】明細書
【補正対象項目名】０００６
【補正方法】変更
【補正の内容】
【０００６】
上記目的を達成するため、開示された一つの態様は、コンピュータ（１１０ａ）によって実施され、モビリティサービスに用いられるサービス車両（ＳＶ）のユーザ（Ｕ）への配車を管理する配車管理方法であって、少なくとも一つのプロセッサ（１１１）にて実行される処理に、ユーザへのサービス提供に応じて生じるエネルギ消費を推定し（Ｓ１２）、ユーザへのサービス提供に伴うサービス車両の性能劣化を推定し（Ｓ１３）、エネルギ消費及び性能劣化を考慮し、サービス車両に提供される運行計画を生成し（Ｓ１４，Ｓ１５）、運行計画としての基準運行計画よりもエネルギ消費及び性能劣化の少なくとも一方を抑制できると推定される修正運行計画を、サービス車両から取得し、修正運行計画に基づくサービス車両の運行を承認するか否か判定する、というステップを含む配車管理方法とされる。
また開示された一つの態様は、コンピュータ（１１０ａ）によって実施され、モビリティサービスに用いられるサービス車両（ＳＶ）のユーザ（Ｕ）への配車を管理する配車管理プログラムであって、少なくとも一つのプロセッサ（１１１）に、ユーザへのサービス提供に応じて生じるエネルギ消費を推定し（Ｓ１２）、ユーザへのサービス提供に伴うサービス車両の性能劣化を推定し（Ｓ１３）、エネルギ消費及び性能劣化を考慮し、サービス車両に提供される運行計画を生成し（Ｓ１４，Ｓ１５）、運行計画としての基準運行計画よりもエネルギ消費及び性能劣化の少なくとも一方を抑制できると推定される修正運行計画を、サービス車両から取得し、修正運行計画に基づくサービス車両の運行を承認するか否か判定する、というステップを含む処理を実行させる配車管理プログラムとされる。
【手続補正５】
【補正対象書類名】明細書
【補正対象項目名】０００７
【補正方法】変更
【補正の内容】
【０００７】
また開示された一つの態様は、モビリティサービスに用いられるサービス車両（ＳＶ）のユーザ（Ｕ）への配車を管理する配車管理装置であって、ユーザへのサービス提供に応じて生じるエネルギ消費を推定する消費推定部（１４１）と、ユーザへのサービス提供に伴うサービス車両の性能劣化を推定する劣化推定部（１４２）と、エネルギ消費及び性能劣化を考慮し、サービス車両に提供される運行計画を生成する計画生成部（１４３）と、運行計画としての基準運行計画よりもエネルギ消費及び性能劣化の少なくとも一方を抑制できると推定される修正運行計画を、サービス車両から取得する計画提供承認部（１２４）と、を備え、計画生成部は、修正運行計画に基づくサービス車両の運行を承認するか否か判定する配車管理装置とされる。